(57)【特許請求の範囲】
【請求項１】
システムを構成する要素をオブジェクトとして、該オブジェクトに含まれる各項目のデータを異なるシステムに仲介するオブジェクト利用ゲートウェイ装置であって、
上記オブジェクト利用ゲートウェイ装置は、１つのシステムと該１つのシステムとは異なる他のシステムとに基く仮想モデルとしての中間モデルを設定したメモリを備え、該中間モデル内に上記中間モデルの構成要素である中間オブジェクトを複数設け、該設けた各中間オブジェクトはそれぞれ複数のプロパティを持ち、
上記オブジェクト利用ゲートウェイ装置は、単一の上記中間オブジェクトに含まれる各プロパティと、上記１つのシステムを構成する上記要素であるオブジェクトに含まれる各項目とを上記メモリ上で対応付け、更に別の単一の中間オブジェクトに含まれる各プロパティと、上記他のシステムを構成する要素であるオブジェクトに含まれる各項目とを上記メモリ上で対応付け、
上記オブジェクト利用ゲートウェイ装置は、上記１つのシステムに対応付けた上記中間オブジェクトが持つプロパティの複数の構成する名称と、上記他のシステムに対応付けた別の中間オブジェクトが持つプロパティの複数の構成する名称とが所定割合以上に合致していると、該合致した構成する名称のプロパティを持つ中間オブジェクトを同一の中間オブジェクトとみなして、該同一とみなした中間オブジェクトのプロパティと上記１つのシステム及び上記他のシステムの構成要素であるオブジェクトの項目とを対応付けるようにし、
上記他のシステムから、該他のシステムを構成する要素であるオブジェクトの項目のデータが要求されると、上記同一とみなした１つのシステムの中間オブジェクトのプロパティに対応付けられたオブジェクトの項目のデータを上記他のシステムのデータとして上記他のシステムを構成する要素であるオブジェクトの項目へ転送することを特徴とするオブジェクト利用ゲートウェイ装置。
【請求項２】
オブジェクト利用ゲートウェイ装置は、システムを構成するオブジェクトには付帯情報を付加し、各システムが該システムを構成するオブジェクトの項目と中間オブジェクトのプロパティを対応付ける際には、上記付帯情報を参照して中間オブジェクトのプロパティを対応付けるようにしたことを特徴とする請求項１記載のオブジェクト利用ゲートウェイ装置。
【請求項３】
システムと中間モデルとの対応付けに際し、中間モデルと該中間モデルの構成要素である中間オブジェクト、及び上記システムと該システムを構成する要素であるオブジェクトとを同一画面上に表示するようにしたことを特徴とする請求項１記載のオブジェクト利用ゲートウェイ装置。
【請求項４】
各システムは、ＢＡＣｎｅｔシステムと、ＬＯＮシステムを含むことを特徴とする請求項１記載のオブジェクト利用ゲートウェイ装置。
【発明の詳細な説明】
【０００１】
【発明の属する技術分野】
本発明は、異なる複数のネットワークシステムを相互に接続し、データ交換を行うために用いる中間オブジェクトの設定と利用に関するものである。
【０００２】
【従来の技術】
従来、ビルなどに設置される空調、照明などのビル設備機器の監視・制御コマンドの送受信を行うネットワークと、それら機器群の監視・制御をまとめて行う上位ビル管理システムとの間や、その他異なるプロトコルを持つ複数のネットワークシステムの間に置かれて、これらを相互に接続するゲートウェイ装置がある。このゲートウェイ装置では、双方のシステムを扱うオブジェクトの設定や、相互の対応付けであるオブジェクトへのマッピングの設定は、適用物件毎に製作されるソフトウェア内部に各システム対応に固有に設定して保持するか、あるいは幾通りかの決まった設定情報を保持してその中から選択して使用する形態をとっている。従ってこれらの設定情報の変更にはソフトウェアの書換えを行う必要があった。
【０００３】
このような不具合を解決するために、第２の従来例として、特開平５−１７３７９５号公報などでは、複数のオブジェクト間の双方向の関係情報を管理するための関係管理オブジェクトを設け、この関係管理オブジェクトに対する操作によってオブジェクト間のマッピングのメンテナンス等を行う試みもなされている。
【０００４】
【発明が解決しようとする課題】
従来のゲートウェイ装置におけるマッピング情報の設定は、上記のようになされており、接続されるシステムの構成等の変更や、マッピング仕様（対応関係）の変更の際には多くの費用と時間がかかるという課題があった。
さらに、マッピングの設定は接続される双方のシステムを共に熟知し、システムを扱うオブジェクトについてその相互関係をよく理解した上で行う必要があるため、高度な技術者を必要とするという課題があった。
また第２の従来例によると、双方のオブジェクト間のマッピング情報を関係管理オブジェクトが持つために、マッピングの設定作業者はマッピングを行う双方のシステムについて同時に熟知していなければならず、また、一方のシステムの変更が起きた時には他方のシステムの状況を再度考慮しながらマッピングの設定をし直す作業が必要となるという課題がある。
【０００５】
本発明はこのような課題を解決するためになされたもので、異なるプロトコルで運用される異種ネットワークシステムＡとＢとを、各々のシステムを表現するオブジェクトの相互マッピングを行って相互接続するシステムにおいて、互のネットワークシステムを熟知していなくてもマッピングの設定ができ、かつ一方のネットワークシステムに変更が起きても他方のネットワークシステムの設定情報にその影響が及ばさない、ゲートウェイ装置における対応付け装置を得ることを目的とする。
また更に、設定作業、監視・制御のための開発をビューを使って簡便に、かつ使用者にとっては分かりやすい形式とする。
さらに、より正確で妥当なマッピングの生成を行なうことも目的とする。
加えて、運用に伴うネットワークシステムの変更にも容易に追随する装置を得る事も目的とする。
【０００６】
【課題を解決するための手段】
この発明に係るオブジェクト利用ゲートウェイ装置は、システムを構成する要素をオブジェクトとして、このオブジェクトに含まれる各項目のデータを異なるシステムに仲介するオブジェクト利用ゲートウェイ装置であって、
オブジェクト利用ゲートウェイ装置は、１つのシステムとこの１つのシステムとは異なる他のシステムとに基く仮想モデルとしての中間モデルを設定したメモリを備え、この中間モデル内に上記中間モデルの構成要素である中間オブジェクトを複数設け、この設けた各中間オブジェクトは複数のプロパティを持ち、
オブジェクト利用ゲートウェイ装置は、単一の上記中間オブジェクトに含まれる各プロパティと、上記１つのシステムを構成する上記要素であるオブジェクトに含まれる各項目とを上記メモリ上で対応付け、更に別の単一の中間オブジェクトに含まれる各プロパティと、上記他のシステムを構成する要素であるオブジェクトに含まれる各項目とを上記メモリ上で対応付け、
オブジェクト利用ゲートウェイ装置は、上記１つのシステムに対応付けた上記中間オブジェクトが持つプロパティの複数の構成する名称と、上記他のシステムに対応付けた別の中間オブジェクトが持つプロパティの複数の構成する名称とが所定割合以上に合致していると、この合致した構成する名称のプロパティを持つ中間オブジェクトを同一の中間オブジェクトとみなして、この同一とみなした中間オブジェクトのプロパティと上記１つのシステム及び上記他のシステムの構成要素であるオブジェクトの項目とを対応付けるようにし、上記他のシステムから、この他のシステムを構成する要素であるオブジェクトの項目のデータが要求されると、上記同一とみなした１つのシステムの中間オブジェクトのプロパティに対応付けられたオブジェクトの項目のデータを上記他のシステムのデータとして上記他のシステムを構成する要素であるオブジェクトの項目へ転送するようにした。
【０００９】
また更に、オブジェクト利用ゲートウェイ装置は、システムを構成するオブジェクトには付帯情報を付加し、各システムがこのシステムを構成するオブジェクトの項目と中間オブジェクトのプロパティとを対応付ける際には、上記付帯情報を参照して中間オブジェクトのプロパティを対応付けるようにした。
【００１０】
また更に、システムと中間モデルとの対応付けに際し、中間モデルとこの中間モデルを構成する中間オブジェクト、及び上記システムと該システムを構成する要素であるオブジェクトとを同一画面上に表示するようにした。
また更に、オブジェクト利用ゲートウェイ装置は、各システムは、ＢＡＣｎｅｔシステムと、ＬＯＮシステムを含むようにした。
【００１１】
【発明の実施の形態】
実施の形態１．
以下、本発明の第１の実施の形態について図１、図２、図３により説明する。本発明に係る異種ネットワーク間マッピングの実現方式の説明構成図を図１に示す。
ここでは、相互接続するネットワークの一例としてＢＡＣｎｅｔシステム１０５と、ＬＯＮシステム１０７を示していて、これらが実体として存在する対象である。
これらのシステムを相互にマッピングし、接続するとは、すなわちＢＡＣｎｅｔシステム１０５に定義されるＢＡＣｎｅｔオブジェクト１０６と、ＬＯＮシステム１０７に定義されるＬＯＮオブジェクト１０８との間の対応関係である、オブジェクト間マッピング１１１を設定することである。
【００１２】
本実施の形態では、これらの実体として存在するシステムの共通概念、あるいは性質、または独自のモデルなどを利用・導入して、実体の無い、仮想モデルとしての中間モデル１０２を構築し、各ネットワークシステムのオブジェクトのマッピング設定は、実体であるＢＡＣｎｅｔオブジェクト１０６あるいはＬＯＮオブジェクト１０８同士で直接行うのではなく、この中間モデル１０２に定義される中間モデルオブジェクト１０３に対して行う。例えば、ＢＡＣｎｅｔオブジェクト１０６は直接ＬＯＮオブジェクト１０８に対してマッピングするのではなく、中間モデルオブジェクト１０３にマッピングし（ステップ１０９）、（以降こうした動作をステップで表現する。）ＬＯＮオブジェクト１０８も直接ＢＡＣｎｅｔオブジェクト１０６に対してマッピングするのではなく、中間モデルオブジェクト１０３に対してマッピングする（ステップ１１０）。ここで初めて、共通の中間モデルオブジェクト１０３にマッピングされた実体のシステムのオブジェクト、ＢＡＣｎｅｔオブジェクト１０６とＬＯＮオブジェクト１０８とが相互にマッピングされている１１１という設定となる。
【００１３】
次に図２に非常に簡単な具体例を示す。
実体となるシステムは前述同様ＢＡＣｎｅｔシステム２０７とＬＯＮシステム２１４とした。これらから構築した中間モデル２０１は、ここでは機器の実体を意識したためＬＯＮシステムのオブジェクトに近い構成となってはいるが、独自モデルである。
まず、ＢＡＣｎｅｔシステム２０７から中間モデル２０１へのマッピングを行うものとして説明する。ＢＡＣｎｅｔオブジェクトの１つ、ＩＤ＝１０のＢｉｎａｒｙ  Ｏｕｔｐｕｔオブジェクト２０８は、ＰｒｅｓｅｎｔＶａｌｕｅのプロパティ２０９がプロパティレベルで中間モデルオブジェクトの空調機器２０２の運転状態プロパティ２０３にマッピングする（ステップ２２０）ものとする。同様にＩＤ＝１１のＢｉｎａｒｙ  Ｏｕｔｐｕｔオブジェクト２１０のＰｒｅｓｅｎｔＶａｌｕｅ２１１は、照明機器２０５の運転状態２０６にマッピングし（ステップ２２１）、Ｍｕｌｔｉｓｔａｔｅ  Ｏｕｔｐｕｔオブジェクト２１２のＰｒｅｓｅｎｔＶａｌｕｅ２１３は、空調機器２０２の運転モード２０４にマッピングする（ステップ２２２）。これでＢＡＣｎｅｔ側の設定は完了となる。
【００１４】
次にＬＯＮシステム２１４から中間モデル２０１へのマッピングを行う。ＬＯＮオブジェクトの１つ、ＩＤ＝５００１の空調機オブジェクト２１５は、オブジェクトレベルで中間モデルオブジェクトの空調機器２０２とマッピングする（ステップ２２３）ものとする。ＬＯＮオブジェクトの照明器２１８も同様に、オブジェクトレベルで中間モデルオブジェクトの照明機器２０５にマッピングする（ステップ２２４）。
オブジェクトレベルでのマッピングを行う際には、オブジェクト内のプロパティレベルでのマッピングが一括して行われる。その結果、ＬＯＮオブジェクトの空調機２１５の運転・停止プロパティ２１６、運転モードプロパティ２１７は、それぞれ中間モデルオブジェクトの空調機器２０２の運転状態プロパティ２０３、運転モードプロパティ２０４にマッピングされる。同様に照明器オブジェクト２１８の点灯・消灯プロパティ２１９は照明機器オブジェクト２０５の運転状態プロパティ２０６にマッピングされる（ステップ２２４）。以上でＬＯＮ側の設定も完了となる。
【００１５】
双方の設定が完了した後、中間モデル２０１上での設定状況から実体のオブジェクト、すなわちここではＢＡＣｎｅｔオブジェクトとＬＯＮオブジェクトとの間のマッピング設定が求められる。中間モデルオブジェクトの空調機器２０２において、運転状態プロパティ２０３にはＢＡＣｎｅｔオブジェクトのＢｉｎａｒｙ  Ｏｕｔｐｕｔ２０８のＰｒｅｓｅｎｔＶａｌｕｅプロパティ２０９と、ＬＯＮオブジェクトの空調機２１５の運転・停止プロパティ２１６とがマッピングされている。このことから、結果的にＢＡＣｎｅｔオブジェクトのＢｉｎａｒｙ  Ｏｕｔｐｕｔ２０８のＰｒｅｓｅｎｔＶａｌｕｅプロパティ２０９と、ＬＯＮオブジェクトの空調機２１５の運転・停止プロパティ２１６とが実質的にマッピングされている（ステップ２２５）ことになる。同様に、Ｂｉｎａｒｙ  Ｏｕｔｐｕｔ２１０のＰｒｅｓｅｎｔＶａｌｕｅ２１１は、照明器２１８の点灯・消灯プロパティ２１９に実質的にマッピングされ（ステップ２２６）、Ｍｕｌｔｉｓｔａｔｅ  Ｏｕｔｐｕｔ２１２の  ＰｒｅｓｅｎｔＶａｌｕｅ２１３は空調機２１５の運転モードプロパティ２１７にマッピングされている（ステップ２２７）ことになる。
【００１６】
このようなマッピングの設定は、例えば図３に一例を示したような設定画面３０１を介して行われてもよい。
即ち図において、中間モデルの一覧３０２、ＢＡＣｎｅｔオブジェクトの一覧３０６、ＬＯＮオブジェクトの一覧３０９が表示され、そこから対応するオブジェクト（インスタンスレベル。あるいはクラスレベルでのマッピングでもよい）またはプロパティ等を選択していく等の方法が考えられる。例えば、ＢＡＣｎｅｔオブジェクト３０８を中間モデルオブジェクト３０４にマッピングし、ＬＯＮオブジェクト３１０を中間モデルオブジェクト３０４にマッピングする。こうすることで結果的にＢＡＣｎｅｔオブジェクト３０８とＬＯＮオブジェクト３１０とがマッピングされることとなる。マッピング設定画面３０１はここで示した一例のようにマッピングを行いたい双方のネットワークシステムのオブジェクトを同時に表示してもよいし、一方ずつ表示し、各ネットワークシステムのそれぞれの技術者が、それぞれ設定作業を行いやすくしてもよい。また、ここで示したようなＧＵＩによる設定画面の他、表形式等による入力方法を用いてもよい。
【００１７】
なお、本発明における中間モデルは、ゲートウェイ装置の内部に搭載してゲートウェイ機能実行時にも中間モデルを介すようにしても構わないが、ゲートウェイ装置とは別に用意した、ゲートウェイ装置の各種設定を行うための設定ツール上に搭載し、ゲートウェイ装置自体にはゲートウェイ機能実行のために必要最低限な機能のみを搭載した方が、より低コストで高性能なゲートウェイ装置を提供することが可能となる。
【００１８】
なお、例えば２つのシステムＡとＢがあって、相互データ交換を行う際に、先ずＡシステムが中間モデルの中間オブジェクトに変換してデータを転送し、これを他のＢシステムが一方的に利用する形態も考えられ、下位システムが上位システムのデータを利用する際に有効である。更に、時間的に同時ではなく、設定と利用に時間的なずれがあってもよい。また更に、Ａシステムから設定された中間オブジェクトは、Ｂシステム側が予め利用設定しておくか、または後に利用設定すると、データ設定後に直ちに項目データを送信するようにしてもよい。
更に上記説明では、先ずシステム側から中間オブジェクトを設定する場合を説明したが、先ず中間モデルを設定し、この中間モデルからＡとＢシステムにマッピングをする、つまり予め両システムを対応付けておく方法もある。こうすると、設定時には中間モデルを介在してデータ交換するが、システムの運用に際してはシステム間で直接データを交換できる。
この場合を含めて、直接データを交換したり、単に中間オブジェクトを取込むだけであれば、ゲートウェイ装置はテーブルを用意する等、簡単な構成でよく、対応付け時のみ、別に用意した設定ツールで行えばよい。
【００１９】
このように、本異種ネットワーク間マッピングの実現方式では、マッピング対象となるネットワークシステム１０５および１０７の共通概念・性質を利用してモデル化を行った、あるいは独自のモデルを用いた中間モデル１０２を構築し、各ネットワークシステム１０５および１０７が中間モデル１０２のみへのマッピングを行う。そうすると、共通の中間モデルのオブジェクト１０３にマッピングされた一方のネットワークシステムであるＢＡＣｎｅｔシステム１０５のＢＡＣｎｅｔオブジェクト１０６と、他方のシステムであるＬＯＮシステム１０７のＬＯＮオブジェクト１０８が結果的にマッピングされる。こうすれば、マッピングしたいネットワークシステムの双方について熟知した技術者でなくてもマッピングの設定を行うことができる。
かつ一方のネットワークシステムに変更が起きても他方のネットワークシステムの設定情報にその影響が及ばない。
その他、中間モデル１０２のビューを用意し、また各ネットワーク１０５および１０７の各ビューを構築して対応付ける方法をとれば、マッピングが更に容易になる。
【００２０】
実施の形態２．
以下、本発明の第２の実施の形態について図４により説明する。ここでも第１の実施の形態と同様、実体のネットワークシステムとしてはＢＡＣｎｅｔシステム４０８とＬＯＮシステム４１０を例に挙げる。
第１の実施の形態では、ＢＡＣｎｅｔオブジェクト４０９、およびＬＯＮオブジェクト４１１が中間モデル４０２にマッピングする際、共通の中間モデルオブジェクトにマッピングされている場合に相互のマッピングを行うこととしていたが、このように完全に一致した、つまり共通の中間モデルオブジェクトに対するマッピングのみで実体相互のマッピングを行うのではなく、異なる中間モデルオブジェクトをいったん設定し、それらのマッピング情報を用いてこれらの中間モデルオブジェクトを結合して、その結合後に実体相互のマッピングを行うようにもできる。
【００２１】
即ち、中間モデルが完全に一致していなくても、例えば共通のクラスを親クラスに持つもの同士、プロパティ構成が一定以上の割合（例えば８０％以上等）で一致するもの同士などで対応付けを行う等により実現できる。例えば、中間モデルオブジェクト４０３と４０５、および４０４と４０６はプロパティ構成が一定以上の割合で一致するので相互にマッピングされるものであるとすると、中間モデルオブジェクト４０３にマッピング４１２されたＢＡＣｎｅｔオブジェクト４０９と、中間モデルオブジェクト４０５にマッピング４１３されたＬＯＮオブジェクト４１１とは、中間モデルオブジェクト４０４と４０６、及び中間モデルオブジェクト４０３と４０５の結合を行って後、相互にマッピング４１４されることとなる。
【００２２】
このように、本異種ネットワーク間マッピングの実現方式は、実体の各ネットワークシステム４０８および４１０が中間モデル４０２へのマッピングを行った際、異なる中間モデルオブジェクト４０３および４０５にマッピングされた各ネットワークシステムのオブジェクト同士４０９および４１１であっても、中間モデルオブジェクト同士４０３と４０５の類似度に応じてマッピングを行うので、より簡便に設定作業を行うことができ、エンジニアリングコストの低減をはかることが可能となる。
【００２３】
実施の形態３．
以下、本発明の第３の実施の形態について図５により説明する。ここでも第１、第２の実施の形態と同様、実体のネットワークシステムとしてはＢＡＣｎｅｔシステム５０５とＬＯＮシステム５１０を例に挙げる。
第１、第２の実施の形態では、ＢＡＣｎｅｔオブジェクト５０６、ＬＯＮオブジェクト５１１が中間モデル５０２にマッピングし、実体におけるマッピング５１７を求める際、共通の中間モデルオブジェクトにマッピングされていること、あるいはオブジェクト同士がマッピングされている異なる中間モデルオブジェクトにマッピングされていることからマッピング情報を求めていた。しかし、本実施の形態では、これらに加え、実体のネットワークシステムのオブジェクト個々に対して付与された付帯情報を利用する。中間モデルにおける扱いは第１の実施の形態の方式、または第２の実施の形態の方式のいずれでも構わないが、図５では第１の実施の形態の方式の場合を示している。この付帯情報は、各オブジェクトの実体を特徴付け、各ネットワークシステム相互の対応付けを行うのに利用する情報として定義する。
【００２４】
例えば、図５に示した例では、設置場所情報を付帯情報とした。この付帯情報により、結合すべき当該オブジェクトは、何れの場所に設置されたものを結合すべきであるか、対象が特定されるようになる。ＢＡＣｎｅｔオブジェクト５０６の付帯情報として、設置場所５０７は「会議室Ａ」という値を持っている。同様に、ＢＡＣｎｅｔオブジェクト５０８の設置場所５０９は「会議室Ｂ」、ＬＯＮオブジェクト５１１の設置場所５１２は「会議室Ａ」、ＬＯＮオブジェクト５１３の設置場所５１４は「廊下」であるとする。第１の実施の形態における方法と同様の方法に加えて、これらの情報を加味して実体のオブジェクト同士のマッピング情報を求める。図５では共通の中間モデルオブジェクト５０３にマッピングされているＢＡＣｎｅｔオブジェクト５０６とＬＯＮオブジェクト５１１がマッピングされているとみなされるが、それらの付帯情報を求めると共に設置場所が「会議室Ａ」となっていることがわかり、このマッピングで妥当なことがここからも判る。
【００２５】
なお、付帯情報としては、図５に示した設置場所（部屋名、部屋番号、スペース名称（廊下、踊り場、共用スペース等）、フロア番号、区画番号、方角等）の他、機器の機種／モデル名、型番、使用されるシーン（通常時、火災時、故障時等）、物件に対応して規定した特定の記号やＩＤ番号等を用いても効果的である。
【００２６】
このように、本異種ネットワーク間マッピングの実現方式は、各ネットワークシステム５０５および５１０双方のオブジェクト間のマッピングのための付帯情報を定義し、各ネットワークシステム５０５および５１０のオブジェクトの各々に対して付帯情報を付与し、この付帯情報を加味してマッピングを行うので、より正確なマッピングの生成が可能となる他、マッピングの妥当性についても判断される。また、付帯情報が各々のオブジェクトに付与されており、この情報を元にマッピングを行うため、運用に伴うネットワークシステム５０５および５１０の変更等により当初想定して構築した中間モデル５０２とのマッピングが取れなくなって中間モデルから切り離された場合でも、付帯情報を介在させて類推が可能となる。従って、ネットワークシステム５０５および５１０相互のマッピング関係を類推、維持していくことが可能となるため、エンジニアリングコストの低減を図ることが可能である。
【００２７】
【発明の効果】
以上のようにこの発明によれば、他システムがアクセスする中間モデルを備えて、中間モデル内の要素対応の中間オブジェクトに対して、各システムが自身の要素を対応付けてデータを転送し、これを他システムの要素データを中間オブジェクトから得るようにしたので、他システムの要素データの利用が容易で、かつ各システムでの項目変更が他のシステムに及ぼす影響を最小にする効果がある。
【００２８】
また更に、付帯情報を付加したので、他のシステムの要素データを利用する際に、より正確な対応付けができる効果がある。
【００２９】
また更に、中間モデルと構成中間オブジェクト、及びシステムとシステムを構成する要素とを同一画面上に表示するようにしたので、対応付けが更に容易になる効果がある。
【図面の簡単な説明】
【図１】  この発明の実施の形態１におけるシステム間の中間モデル対応付けを説明する概念図である。
【図２】  実施の形態１における具体的な相互利用システムと中間モデルを示す構成図である。
【図３】  実施の形態１における中間オブジェクト要素の対応付け表示画面を示す図である。
【図４】  この発明の実施の形態２における具体的な相互利用システムと中間モデルを示す構成図である。
【図５】  この発明の実施の形態３における具体的な相互利用システムと中間モデルを示す構成図である。
【符号の説明】
１０２  中間モデル、１０３  中間モデルオブジェクト、１０５  ＢＡＣｎｅｔシステム、１０６  ＢＡＣｎｅｔオブジェクト、１０７  ＬＯＮシステム、１０８  ＬＯＮオブジェクト、１０９  ＢＡＣｎｅｔオブジェクトから中間モデルオブジェクトへのマッピング、１１０  ＬＯＮオブジェクトから中間モデルオブジェクトへのマッピング、１１１  ＢＡＣｎｅｔオブジェクトとＬＯＮオブジェクト間のマッピング、２０２  中間モデル空調機器オブジェクト、２０５  中間モデル照明機器オブジェクト、２０８  ＢＡＣｎｅｔシステム Binary Output オブジェクト、２１５  ＬＯＮシステム 空調機オブジェクト、３０１  マッピング設定画面例、５０７  付帯情報（設置場所）。
【図１】
0003762322.tif 000002
【図２】
0003762322.tif 000003
【図３】
0003762322.tif 000004
【図４】
0003762322.tif 000005
【図５】
0003762322.tif 000006